(57)【特許請求の範囲】
【請求項１】
電気コネクタにおいて、
少なくとも一つの螺旋状のカム溝を有するスタッドと、少なくとも一つのカム従動子および付勢手段によって構成されたレセプタクルとを有する、迅速に切り離し可能な留め具と、
第１の電気接触面と、第２の電気接触面とを有する、電気組立体に対する接続用のコネクタとを有し、
前記コネクタは、前記スタッドが前記第１の電気接触面に固定的に向くようにさせ、前記レセプタクルは、前記スタッドに対して回転可能であって、かつ、前記第１の電気接触面および前記第２の電気接触面が操作可能な係合状態になるように、その回転によって、前記第２の電気接触面に対して保持され、これによって、前記第１の電気接触面および前記第２の電気接触面を横切る方向に一定の締め付け力を維持することを特徴とする電気コネクタ。
【請求項２】
前記スタッドは、その一端にヘッドを有する本体を含む請求項１に記載の電気コネクタ。
【請求項３】
前記本体は形状が略円筒形であり、長手方向の中心軸を有する請求項２に記載の電気コネクタ。
【請求項４】
前記本体は、第１端部及び第２端部との間で延在し、前記本体の前記第２端部が前記ヘッドに装着される請求項２又は３に記載の電気コネクタ。
【請求項５】
前記本体は、その一方の端部に少なくとも１つの螺旋状のカム溝を含む請求項２、３又は４に記載の電気コネクタ。
【請求項６】
前記本体は直径方向に対向する一対の螺旋状のカム溝を含む請求項２〜５のいずれかに記載の電気コネクタ。
【請求項７】
前記少なくとも１つのカム溝はバヨネット構成を有しており、前記本体の先端から前記ヘッドに向かい延在し、ロック移動止めで終端する請求項２〜６のいずれかに記載の電気コネクタ。
【請求項８】
前記レセプタクルは、前記スタッドの前記本体を収容する形状の内側凹部を含む請求項１に記載の電気コネクタ。
【請求項９】
前記内側凹部は、前記スタッドとハウジングの結合を容易にするために少なくとも１つのカム従動子を備える請求項８に記載の電気コネクタ。
【請求項１０】
前記ハウジングの前記内側凹部が前記付勢手段をさらに備える請求項８又は９に記載の電気コネクタ。
【請求項１１】
前記付勢手段は、ばねを含む請求項１０に記載の電気コネクタ。
【請求項１２】
前記レセプタクルは、前記少なくとも１つのカム従動子を備えるインターフェースプレートを含む請求項１に記載の電気コネクタ。
【請求項１３】
前記インターフェースプレートは、直径方向に対向する、内側に延在する一対のカム従動子を備える請求項１２に記載の電気コネクタ。
【請求項１４】
前記ばねと前記インターフェースプレートが前記レセプタクル内に保持されている請求項１２又は１３に記載の電気コネクタ。
【請求項１５】
前記インターフェースプレートは、前記ばね圧に抗して前記レセプタクル内で軸方向に移動自在である請求項１２〜１４に記載の電気コネクタ。
【請求項１６】
前記コネクタは、さらに、開口を有するバッテリポストのようなポストを含む請求項１に記載の電気コネクタ。
【請求項１７】
前記開口は、前記スタッドの前記本体を収容できる寸法である請求項１６に記載の電気コネクタ。
【請求項１８】
前記開口の形状が略円形である請求項１６又は１７に記載の電気コネクタ。
【請求項１９】
前記レセプタクルは、前記ポストの厚み全体又は一部を包含できるよう、アンダーカット又は変形可能なフランジを有する請求項１６から１８のいずれかに記載の電気コネクタ。
【請求項２０】
前記コネクタがスペードを含む請求項１に記載の電気コネクタ。
【請求項２１】
前記スペードは、開口を含む請求項２０に記載の電気コネクタ。
【請求項２２】
前記開口は、略円筒形であり、前記ポスト内に設けられた前記開口と略同じ直径を有する請求項２１に記載の電気コネクタ。
【請求項２３】
自動車又は他の車両内のバッテリに接続するための請求項１から２２のいずれかに記載の電気コネクタ。
【請求項２４】
請求項１〜２３のいずれかに記載の電気コネクタを用いて電気接続を行う方法。
【請求項２５】
前記スタッドと、前記レセプタクルとを接続するステップを含む請求項２４に記載の方法。
【請求項２６】
前記スタッドと前記レセプタクルの接続の前に、前記コネクタが有するスペード内に設けられた開口を介して前記スタッドの一端に設けられた本体を通すステップを含む請求項２４又は２５に記載の方法。
【請求項２７】
さらにバッテリポストのようなポスト内に設けられた開口を介して前記スタッドの前記本体を通すステップを含む請求項２４〜２６のいずれかに記載の方法。
【請求項２８】
請求項１〜２３のいずれかに記載の電気コネクタの製造方法。
【請求項２９】
請求項１〜２３のいずれかに記載の電気コネクタを含むキット。
【発明の詳細な説明】
【技術分野】
【０００１】
本発明は、電気コネクタに関する。
【背景技術】
【０００２】
溶接やリベット継手などのような他の留め具タイプに比してボルト継手の顕著な利点は、そのようなボルト継手は切り離しができるということである。しかし、動作条件により、緩み及び／又はその後、意図せず外れた場合に問題を引き起こす可能性がある。しばしば振動緩みと呼ばれる、そのような意図しない緩みは、継手に対するナット又はボルトヘッドの側方運動によって引き起こされ、ひいては留め具のねじ山で相対運動が起きる。このような継手は、大きい振動を受けないような機器での使用に向いている。しかし、継手に大きい振動及び／又は高い動的負荷がかかる場合には、問題が発生し得る。振動が発生している間、ボルト／ナットの接触面における局所的な滑りが、ねじ山付き留め具を緩めてしまう可能性がある。摩擦ベース、ばねベース、及び締まり嵌めベースの留め具の場合は、ねじ山に追従してボルトを継手から離れる方向に移動させるという性質の傾向があるため、これらの状況では良好な対応ができない。ナットは、振動を受け、それがねじ山との摩擦を超えた場合に優先される回転方向を有する。振動に誘起されて留め具がわずかに移動するだけで、締め付け荷重が大幅に軽減され、その締め付け荷重が一度失われると、ボルトがさらに移動し、軸にさらなる間隙が形成されて、弱化されたボルトは磨耗と擦り切れによりせん断される可能性がある。
【０００３】
したがって、はじめから荷重をかけられたボルト又はナットは、留め具の雄と雌のねじ山の間で生じる相対運動により、回転して緩む可能性がある。相対運動の３つの一般的な原因は、次のとおりである。（１）摩擦面で誘起される力を生じる部品の湾曲。滑りが発生した場合は、ヘッドとねじ山が滑り、緩みにつながる可能性ある。（２）温度差又は締め付けられる材料の違いのいずれかによって引き起こされる示差熱効果。及び／又は（３）ボルト及び／又はナットの緩みにつながる継手面のずれを引き起こす可能性を有する、継手にかかる力。一般に、留め具の自発的な緩みを防止するための鍵は、例えば、接合面に、ボルトヘッド又はナットと継手との間の相対運動を防止するだけの十分な締め付け力があること、そして、継手が、埋め込み、及び応力緩和の効果を有するように設計されていることである。
【０００４】
回転可能なキャプティブナットは、修理のためにアクセスが必要とされる、及び／又は電気的切断が安全のために必要とされる機器に使用されてきた。キャプティブナットを設けることにより、切断されたときにナットが喪失する可能性が減る。加えて、キャプティブナットを使用することにより、システムの組み立て時に必要とされる部品数を低減する。
【０００５】
回転可能なキャプティブナットは、多くの場合、ねじ山付き留め具を含む。しかしながら、このようなねじ山付き留め具は、ユニット又は他の設備などのシステムの迅速な組み立て及び／又は分解ができない。加えて、システムの組み立て中に、ねじ山付き留め具は、エネルギーが張力、捩り及び／又は屈曲エネルギーの形で導入されるように、締め付けて、組み立てた継手を横切る方向の予荷重を生成しなければならない。このエネルギーは、留め具の雄と雌ネジの嵌合及びナットの接触スラスト面によって生成される摩擦を介してねじ山付き留め具内に保持される。摩擦力を上回ると、留め具に格納されたエネルギーと生成されてきた予荷重が失われる。これは、ある期間にわたって徐々に発生するとともに、振動によって引き起こされ得る。振動やその他の条件の性質に応じて、留め具システムが耐えなければならない有限の合成緩みトルクが存在する。よって、荷重がかかった状態のボルトの残余張力が、緩みトルク振動より大きい摩擦トルクを生成するのに適した張力となるように、ボルトをある特定の予荷重まで締め付ければ振動緩みは発生しない。予荷重をかけないと、ねじ山付き留め具の雄及び雌要素の係合が解除され、留め具組立体は緩み、最終的には、外れてしまう。
【０００６】
振動緩みに抗するのに十分なねじ山摩擦を得るためには、電気的接触の維持に必要とされるよりも高いトルクとその後の継手を横切る締め付け荷重が求められる。より高いトルクを高くすると、スタッドヘッドの周囲の構造をより頑丈とすることや、これらのねじり力に耐えられるように取り付けを行う必要がある。したがって、支持構造が過度となる。組み立てや、解体後の再組み立てには、正しいトルクを確実にかけられる特殊なツールを使用する必要がある。例えば、そのような組み立て及び再組み立てには、トルクレンチを使用する必要がある。トルクは、潤滑、表面仕上げ、ねじ山表面の損傷や嵌合表面を含む多くの要因によって影響されるので、信頼性の高い締め付け方法ではない。
【０００７】
ねじ山付き留め具を使用する場合は、ねじ山による接続を横切る方向の摩擦を維持し、留め具が緩まないように防ぐため、締め付けた継手を横切る方向に、かなりの割合の締め付け荷重が必要である。
【０００８】
また、継手に対する熱衝撃及び負荷がかかることにより、留め具が外れてしまう可能性もある。これは、ねじ山付き留め具が電気接続で使用される場合に特有の問題である。この場合、電気接続が緩いと、システムに高電流が流れ、発熱して火災又は他の熱損傷の原因となる。
【発明の概要】
【発明が解決しようとする課題】
【０００９】
本発明は、前述のような問題を緩和することを目的とする。
【課題を解決するための手段】
【００１０】
第１の態様によれば、電気コネクタであって、少なくとも１つの螺旋状のカム溝を有するスタッドを備えた４分の１回転留め具と、少なくとも１つのカム従動子と付勢手段を備えたレセプタクルと、さらに、電気組立体に対する接続手段を備え、前記電気コネクタは、第１の電気接触面と第２の電気接触面とを有し、前記第１と第２の面とを操作可能な係合状態に解放可能に接続し、前記電気コネクタは、前記面を横切る方向に一定の締め付け力を維持する電気コネクタを提供する。
【００１１】
当業者は、本発明の４分の１回転留め具は、特定のタイプの留め具を記述する技術分野の用語であり、必ずしも９０度回転留め具に限定されるものではないことは理解できよう。実際には、約９０から１８０度まで、及び典型的には約１４０度に亘る留め具の回転を含んでいてもよい。
【００１２】
有利なことに、本発明の電気コネクタは、コネクタを横切る方向に一定の締め付け力を維持する一方で、振動の影響やコネクタの不本意な外れの危険性を防ぐという利点を有する。有利なことに、コネクタは、留め具の安全な接続及び／又は切り離しを提供する一方で操作が簡単である。
【００１３】
有利なことに、前記電気コネクタは、一部分に又は別の部分から迅速かつ容易な接続及び／又は切断を可能とする、迅速に切り離し可能な締結及び／又は固定手段を提供する。
【００１４】
有利なことに、前記電気コネクタは、電気接点が過熱することなく、システムに大電流を流すことができる表面領域を提供する。したがって、コネクタの部品が互いに係合しているとき、前記電気コネクタは、有利なことに、安全な接続を提供し、留め具の迅速な切断及び再接続を可能にし、システムに大電流を流すことを可能にする。
【００１５】
好ましくは、前記４分の１回転留め具は、その一端にヘッドを有する本体を含む。好ましくは、前記本体は、形状が略円筒形であり、長手方向に中心軸を有する。好ましくは、前記本体は、第１端部及び第２端部との間で延在し、前記本体の前記第２端部が前記ヘッドに装着される。典型的には、前記本体の前記長手方向軸は、前記ヘッドの長手方向軸に対して略垂直である。一実施形態では、前記ヘッドは、形状が略円形である。別の実施形態では、前記ヘッドは、略正方形の形状を有する。好ましくは、前記本体は、前記ヘッドの下側から延在して、直径が前記ヘッドの直径よりも小さい。典型的には、前記本体は、その一端において少なくとも１つの螺旋状のカム溝を含む。好ましくは、前記少なくとも１つの螺旋状のカム溝が、前記ヘッドに装着された前記一端に対して遠位に位置する前記本体の先端に設けられている。好ましくは、前記本体は、直径方向に対向する一対の螺旋状のカム溝を含む。典型的には、各カム溝は前記本体の前記先端から切り込まれ、前記ヘッドに向かって前記本体に沿って延在している。典型的には、前記少なくとも１つのカム溝は、螺旋構成を有する。一実施形態では、前記少なくとも１つのカム溝の前記開放端を広げてあり、前記スタッドと、相補レセプタクルの少なくとも１つのカム従動子との結合及び／又は切り離しが容易にできる。好ましくは、前記少なくとも１つのカム溝はバヨネット構成を有し、前記本体の前記先端から前記ヘッドに向かい、前記スタッドが前記レセプタクルに接続されている時に好ましくは前記対応するカム従動子が着座するロック移動止めまで延在する。
【００１６】
好ましくは、少なくとも１つのカム溝を含む前記スタッド端部における直径は、５から１０ｍｍの間である。他の実施形態では、直径がより小さい又はより大きい前記スタッドを使用してもよい。好ましくは、前記レセプタクルの直径は、前記スタッドの直径に対応する大きさである。典型的には、前記レセプタクルの直径は５から１５ｍｍの間であってもよい。好ましくは、前記スタッドは、鋼又はステンレス鋼を含む。
【００１７】
有利なことに、本発明の前記電気コネクタを使用することにより、追加のねじロック機構又は防振ワッシャーを使用しなくてもよい。
【００１８】
一実施形態では、前記レセプタクルは、形状が略円筒形である。別の実施形態では、前記レセプタクルの少なくとも一部は、六角柱の形状を有する。好ましくは、前記レセプタクルは、前記スタッドの前記本体を収容する形状の内側凹部を含む。好ましくは、前記内側凹部は、形状が略六角形である。好ましくは、前記付勢手段は、前記内側凹部内に収容されている。好ましくは、前記付勢手段は、ばねを含む。好ましくは、前記レセプタクルはさらに、インターフェースプレートを備え、前記インターフェースプレートは、好ましくは、少なくとも１つのカム従動子を備える。典型的には、前記ばねと前記インターフェースプレートは、前記レセプタクル内に保持されている。典型的には、前記インターフェースプレートは、前記レセプタクル内で回転不能であるが、前記ばね圧に抗して前記レセプタクル内で軸方向に移動自在である。好ましくは、前記インターフェースプレートの前記形状は、前記レセプタクルの前記凹部の形状に対応している。
【００１９】
好ましくは、前記インターフェースプレートは、前記スタッド上に設けられた、対応するカム溝との係合に対応する２つのカム従動子を備える。好ましくは、前記インターフェースプレートは、前記プレートを横切る方向に向いた、好ましくは一対のタブの形で、直径方向に対向して内側に延在する一対のカム従動子を備える。好ましくは、前記少なくとも１つのカム従動子は前記スタッド上に設けられた前記少なくとも１つのカム溝と係合するように構成されている。典型的には、前記スタッドの前記本体は、前記レセプタクルの開放端に導入されるため、前記インターフェースプレートに設けられた前記カム従動子と接触し、前記カム従動子は、前記スタッドを初めにわずかに回転させて前記カム溝への前記入口と整列させるようにしてもよい。典型的には、前記少なくとも１つのカム従動子は、前記少なくとも１つのカム溝内に設けられた前記ロック移動止めを介して前記スタッドとの接続後に所定の位置に保持してもよい。有利なことに、前記付勢手段は、前記レセプタクル内の前記カム従動子とスタッドの相対的な軸方向移動を可能としているので、前記留め具の接続と切り離しが容易である。
【００２０】
好ましくは、前記少なくとも１つのカム溝は前記スタッド上に設けられ、前記レセプタクルに対して前記スタッドの前記本体を４分の１回転することを可能として、前記留め具をそれぞれ開く及び／又は閉じるように構成されている。好ましくは、前記スタッドの前記本体は、前記留め具を開く及び／又は閉じるために、前記レセプタクルに対して、９０度から１８０度の間、好ましくは約１４０度に亘って回転するように構成されている。
【００２１】
好ましくは、前記レセプタクルは真鍮、アルミニウム、プラスチック、鋼又はステンレス鋼を含む。好ましくは、前記スタッド、ばね及び／又はインターフェースプレートは、鋼又はステンレス鋼を含む。
【００２２】
好ましくは、前記コネクタは、さらに、開口を含むバッテリポストなどのポストを含む。好ましくは、前記開口は、形状が略円形である。典型的には、前記開口は、前記スタッドの前記本体が前記開口を通過できるように、前記スタッドの前記本体を収容できる寸法となっている。典型的には、前記レセプタクルは、前記ポストの厚み全体又は一部を包含できるよう、典型的には、アンダーカット又は変形可能なフランジを使用してバッテリポストに装着されている。好ましくは、前記スタッドは前記ポストに保持される。好ましくは、前記スタッドの前記ヘッドが前記ポストに固定され、前記ポストとともに回転しない。
【００２３】
好ましくは、電気組立体に対する接続手段は、スペードを有する。典型的には、前記スペードは、開口を有する。前記開口は、略円筒形であり、好ましくは、前記パネル内に設けられた前記開口と略同じ直径を有することが好ましい。典型的には、電気組立体に対する接続手段は、さらに、バッテリにつながる複数のケーブルを含んでいてもよい。好ましくは、前記レセプタクルはスペードに保持されるが、組み立てを可能にするため回転可能である。好ましくは、前記レセプタクルの前記フランジ面は、それが保持されている前記スペードに対応するように形成されている。
【００２４】
典型的には、前記スタッドの前記本体は、前記ポストの開口と前記スペードの開口の両方を通って前記レセプタクル内に収容されている。
【００２５】
好ましい実施形態において、電気コネクタは、自動車又は他の車両内のバッテリに接続するために使用してもよい。有利なことに、本発明の電気コネクタは、留め具を迅速に外すことができるので、車両が船舶、電車又は他の搬送手段上に搭載され、車両のバッテリを搬送開始前に外さなければならないようなときに非常に有益である。船舶がドックに入り、車両を降ろす準備ができた後、本発明の電気コネクタは、車両のバッテリを再接続する留め具により迅速な再接続が可能である。
【００２６】
第１の態様による電気コネクタを含む電気接続を接続するための方法。
【００２７】
好ましくは、前記方法は、少なくとも１つの螺旋状のカム溝を有するスタッドと、少なくとも１つのカム従動子と付勢手段を備えたレセプタクルを接続することを含み、この方法はさらに、第１の電気接触面と第２の電気接触面を設け、前記第１と第２の面を操作可能な係合状態に解放可能に接続することを含み、前記電気コネクタは、これらの面を横切る方向に一定の締め付け力を維持する。
【００２８】
典型的には、前記方法は、前記スタッドとレセプタクルの接続前に、前記スタッドの前記本体をスペード内に設けられた開口に通す工程を含む。好ましくは、前記方法は、バッテリポストのようなポスト内に設けられた開口に前記スタッドの前記本体を通すステップを含む。
【００２９】
第１の態様による電気コネクタの製造方法。
【００３０】
第１の態様による電気コネクタを含むキット。
【００３１】
本発明について、ここで、以下の図面及び図を参照しながら、例を挙げてさらに説明する。
【図面の簡単な説明】
【００３２】
【図１Ａ】本発明の一実施形態に係る電気コネクタの概略斜視図であり、コネクタが分解された構成である。
【図１Ｂ】本発明の一実施形態に係る電気コネクタの概略斜視図であり、コネクタが組み立てられた構成を示すものである。
【図２Ａ】サブ組立部品を示す、図１に示す電気コネクタの概略斜視図である。
【図２Ｂ】図１に示す電気コネクタの概略斜視図であり、コネクタを分解した構成を示すものである。
【図３】図１に示す電気コネクタの側面図である。
【図４】図１に示す電気コネクタの概略端面図である。
【図５】本発明の一実施形態による電気コネクタのレセプタクルとスペードの概略斜視図であり、レセプタクルとスペードが分解された構成を示すものである。
【図６】本発明の一実施形態による電気コネクタを含む自動車内のヒューズボックスを示す図である。
【発明を実施するための形態】
【００３３】
図１を参照すると、電気コネクタ（２）であって、少なくとも１つの螺旋状のカム溝（８）を有するスタッド（６）を備えた４分の１回転留め具（４）と、少なくとも１つのカム従動子（２４）と付勢手段（１２）とを含むレセプタクル（１０）と、さらに電気組立体に対する接続手段（１４）とを含み、電気コネクタは、第１の電気接触面（１６）と第２の電気接触面（１７）とを有するとともに第１と第２の面とを操作可能な係合状態に解放可能に接続し、これらの面を横切る方向に一定の締め付け力を維持するように構成された電気コネクタ（２）が提供される。
【００３４】
４分の１回転留め具（４）は、その一端にヘッド（２０）を有する本体（１８）を含む。本体（１８）は、形状が略円筒形であり、長手方向に中心軸を有する。本体（１８）は、第１端部及び第２端部との間に延在しており、本体の第２端部はヘッド（２０）に取り付けられている。本体（１８）の長手方向軸は、ヘッド（２０）の長手方向軸に対して略垂直である。本体（１８）は、ヘッドの下面から延在し、ヘッド（２０）の直径よりも直径が小さい。図に示す実施形態では、ヘッド（２０）は、略正方形の形状を有し、本体よりも直径が大きい。本体（１８）は、ヘッドに取り付けられた端部から遠位に位置する本体の先端に設けられた一対の直径方向に対向する螺旋状のカム溝（８）を備える。図に示すように、各溝（８）は、本体（１８）の先端から切り込まれ、ヘッド（２０）に向かって本体に沿って延在する。一実施形態では、少なくとも１つのカム溝（８）の開放端部を広げ、相補レセプタクル（１０）の少なくとも１つのカム従動子（２４）に対するスタッド（６）の結合及び／又は取り外しを容易にしてもよい。好ましくは、少なくとも１つのカム溝（８）はバヨネット構成を有し、本体の先端からヘッドに向かい、スタッドがレセプタクルに接続されると、対応するカム従動子（２４）が好ましくは着座するロック移動止め（２１）まで延在する。
【００３５】
好ましくは、少なくとも１つのカム溝を含むスタッド端部における直径は、約６ｍｍである。好ましくは、レセプタクルの外径は、１４ｍｍである。好ましくは、長手方向軸に沿ったレセプタクルの長さは１６ｍｍである。
【００３６】
図１、２及び５を参照すると、レセプタクル（１０）は、部分的に六角柱の形状を有し、また、部分的に円筒形状を有している。レセプタクル（１０）は、スタッドの本体（１８）を収容するような形状の内側凹部（２２）を含む。内側凹部（２２）は、スタッド（６）とレセプタクル（１０）の結合を容易にするために、２つのカム従動子（２４）を備えている。カム従動子（２４）は、インターフェースプレート（２８）内に設けられている。カム従動子は、インターフェースプレート（２８）を横切る方向に対向する一対のタブの形態をとる。スタッドの本体がレセプタクルの上側の開放端に導入されると、インターフェースプレートに設けられたカム従動子と接触するので、カム従動子を初めにわずかに回転させることによりカム溝への入口と整列させるようにしてもよい。カム従動子（２４）は、スタッドとの接続後、対応するカム溝の端部を構成するロック移動止め（２１）を介して所定の位置に保持することができる。レセプタクル（１０）の内側凹部（２２）は、さらに付勢手段（１２）を備える。本実施形態では、付勢手段（１２）は、ばねを備える。典型的には、ばねとインターフェースプレート（２８）がレセプタクル（１０）内に保持されている。有利なことに、付勢手段は、レセプタクル内のカム従動子とスタッドの相対的な軸方向移動を可能としているので、留め具の接続と切り離しが容易である。典型的には、インターフェースプレート（２８）は、レセプタクル（１０）内で回転不能であるが、ばね圧に抗して軸方向に移動自在である。
【００３７】
例えば、図５に示す実施形態では、２つのカム従動子（２４）が、インターフェースプレート（２８）に設けられている。典型的には、少なくとも１つのカム従動子（２４）は、少なくとも１つのカム溝内に設けられたロック移動止め（２１）を介してスタッドとの接続後に所定の位置に保持してもよい。好ましくは、少なくとも１つの螺旋状のカム溝（８）はスタッド（６）上に設けられ、レセプタクル（１０）に対して本体（１８）の４分の１回転を可能として、留め具をそれぞれ開く又は閉じることができる。好ましくは、スタッド（６）の本体を、レセプタクル（１０）に対して９０度から１８０度の間、好ましくは１４０度に亘って回転して、留め具を開く又は閉じる。
【００３８】
図面を参照して、電気コネクタは、開口（３４）を有するバッテリポスト（３２）をさらに備える。本実施形態では、開口（３４）は、形状が略円形であり、スタッドの本体が開口（３４）を通過できるように、スタッド（６）の本体（１８）を収容できる寸法となっている。典型的には、レセプタクル（１０）はポストの厚み全体又は一部を包含できるよう、アンダーカット又は変形可能なフランジ（２６）を使用することにより、バッテリポスト（３２）に装着されている。好ましくは、スタッド（１０）は、組み立てられた構成では、ポスト（３２）に保持される。一実施形態では、スタッドのヘッド（２０）は正方形状であり、ポスト（３２）に固定され、ポスト（３２）とともに回転しない。
【００３９】
図面を参照すると、電気組立体に対する接続手段（１４）は、開口（３８）を有するスペード（３６）を含む。本実施形態では、開口（３８）は、略円筒形であり、パネル（３２）内に設けられた開口（３４）と略同じ直径を有する。典型的には、電気組立体に対する接続手段（１４）は、さらに、スペードからバッテリに導出するケーブルを備えていてもよい。好ましくは、レセプタクルはスペードに保持されるが、組立体全体を回転することができる。好ましくは、レセプタクルのフランジ面は、それが保持されているスペードに対応するように形成されている。
【００４０】
有利なことに、スタッドの本体は、典型的には、バッテリポスト内の開口とスペード内の開口を通過してレセプタクル内に収容されている。
【００４１】
好ましい実施形態において、電気コネクタは、自動車又は他の車両内のバッテリに接続するために使用してもよい。有利なことに、本発明の電気コネクタは、留め具を迅速に外すことができるので、車両が船舶、電車又は他の搬送手段上に搭載され、車両のバッテリを搬送開始前に外さなければならないようなときに非常に有益である。
【００４２】
図６は、本発明の電気コネクタの一実施形態を含むヒューズボックスを示している。ヒューズボックスは、標準的な構成要素を含み、また上記の電気コネクタ（２）を含む。
【００４３】
図面を参照して、また、第１の態様による電気コネクタを含む電気接続を接続するための方法が提供される。
【００４４】
好ましくは、この方法は、少なくとも１つの螺旋状のカム溝（８）を有するスタッド（６）と、少なくとも１つのカム従動子（２４）と付勢手段（１２）を備えるレセプタクル（１０）とを接続することと、さらに、第１の電気接触面（１６）と第２の電気接触面（１７）とを設けて、第１と第２の面を操作可能な係合状態に解放可能に接続することを含み、電気コネクタは、前記面を横切る方向に一定の締め付け力を維持する。
【００４５】
典型的には、この方法は、スタッドとレセプタクルの接続前に、スペード内に設けられた開口にスタッド（６）の本体を通すステップを含む。好ましくは、この方法は、バッテリポストのようなポスト内に設けられた開口にスタッドの本体を通すステップを含む。
【００４６】
図面を参照して説明した第１の態様による電気コネクタを製造する方法を提供する。
【００４７】
また、図面を参照して説明した第１の態様による電気コネクタを含むキットを提供する。
【符号の説明】
【００４８】
２    電気コネクタ
４    留め具
６    スタッド
８    カム溝
１０  レセプタクル
１４  接続手段
１６  第１の電気接触面
１７  第２の電気接触面
２４  カム従動子
【図１Ａ】
0006774491.tif 000002
【図１Ｂ】
0006774491.tif 000003
【図２Ａ】
0006774491.tif 000004
【図２Ｂ】
0006774491.tif 000005
【図３】
0006774491.tif 000006
【図４】
0006774491.tif 000007
【図５】
0006774491.tif 000008
【図６】
0006774491.tif 000009